(57)【要約】      （修正有）【課題】本番締付状態を確保する前の予備締付操作を不要にしてケース等鞄への着脱を容易にする、パーツを少なくして構成し易くする、体裁よく目立つようにして高い識別性を確保する、且つ長尺ベルト部の余剰末端がブラブラして邪魔になったり体裁が悪くしたりする事態を回避することを目的とする。【解決手段】非伸縮材料製の長尺ベルト部２の端と伸縮材料製の短尺ベルト部３の端とを縫い繋いで一枚構造のベルト本体を構成すると共に上記長尺ベルト部の外端側２３に、当該長尺ベルト部に沿って移動させる構造の長さ調節具８により長さを変更しうる長さ変更可能部分を設け、この長さ変更可能部分の長さが変動する側の変動外端から短尺ベルト部の外端までを締付有効部分とし、この締付有効部分の両端に相互に連結・分離しうる状態にして雌雄一対の連結具１１，１２を装備して成ることを特徴とするスーツケース等鞄用胴締ベルト。【選択図】図１
0003112784.tif 000002
【実用新案登録請求の範囲】
【請求項１】
非伸縮材料製の長尺ベルト部の端と伸縮材料製の短尺ベルト部の端とを縫い繋いで一枚構造のベルト本体を構成すると共に上記長尺ベルト部の外端側に、当該長尺ベルト部に沿って移動させる構造の長さ調節具により長さを変更しうる長さ変更可能部分を設け、この長さ変更可能部分の長さが変動する側の変動外端から短尺ベルト部の外端までを締付有効部分とし、この締付有効部分の両端に相互に連結・分離しうる状態にして雌雄一対の連結具を装備して成ることを特徴とするスーツケース等鞄用胴締ベルト。
【請求項２】
短尺ベルト部の外端は、一方の連結具に縫付により直に連結されたことを特徴とする請求項１記載のスーツケース等鞄用胴締ベルト。
【請求項３】
長尺ベルト部の非伸縮材料と短尺ベルト部の伸縮材料は同じ目立つ色柄にされ、且つこれら長尺ベルト部、短尺ベルト部の縫い繋ぎ目部分は柄合せ及び幅合せをした状態に仕上げられたことを特徴とする請求項１又は２記載のスーツケース等鞄用胴締ベルト。
【請求項４】
長さ変更可能部分の長さは、一方の連結具に連結環を一体に設けて当該連結環に長尺ベルト部を移動自在に挿通して二つ折りにすると共に当該長尺ベルト部の余剰末端を、同長尺ベルト部の長さ変更可能部分に移動自在に挿通された長さ調節具に止着することにより、任意に選択しうるようにされたことを特徴とする請求項１、２又は３記載のスーツケース等鞄用胴締ベルト。
【考案の詳細な説明】
【技術分野】
【０００１】
本考案は、スーツケース等鞄の胴周部に巻き付け締めて、当該スーツケース等鞄が使用者の意に反して濫りに開いてしまうことのないようにするために用いるスーツケース等鞄用胴締ベルトに関する。
【背景技術】
【０００２】
従前、本願出願人は、ベルト部材の一部に伸縮自在な弾性帯部を設けたケースベルトを提供した（特許文献１参照）。しかしながら、この特許文献１に開示されている上記弾性帯部は、本番締付状態を確保する前の予備締付用（仮締め用）として利用するために設けられたものであって、所謂本番締付用ではなかった。
【０００３】
また、別の出願人によって、自己のものを識別するなどのための目印として機能する装飾材をベルト本体に縫製等により固定して目立つ構成のスーツケースベルト（特許文献２参照）が開示されている。しかしながら、この特許文献２に開示されているスーツケースベルトは、ベルト本体の他に装飾材を別途用意する必要性、当該装飾材をベルト本体に固定する必要性等があって、全体として構成が煩雑であるのみならず、伸縮部分を有するベルト本体には、装飾材が当該伸縮部分に固定し辛いために、向いていないものであった。
【０００４】
また、本願出願人は、ベルト本体の末端がブラブラ遊んで邪魔になることを防ぐようにしたスーツケース等鞄の胴締めベルトを提供した（特許文献３参照）。しかしながら、この特許文献３に開示されているスーツケース等鞄の胴締めベルトは、上記のような弾性帯部を有していないために、スーツケース等鞄に対する着脱が必ずしも容易ではなく、使い勝手が悪かった。
【０００５】
なお、本願出願人は、ベルト本体と弾性ベルトの継ぎ目に「柄合せ」を施したスーツケース等鞄用胴締ベルトについて、先行技術を調査したが、関連する先行技術文献を見出すことができなかった。
【特許文献１】実開平５−１５８３２号公報
【特許文献２】特開２００３−３２５２２３号公報
【特許文献３】登録実用第３０６８８７２号公報
【考案の開示】
【考案が解決しようとする課題】
【０００６】
そこで、本考案は、上記のような現状に鑑み、本番締付状態を確保する前の予備締付操作（仮締め操作）を不要にしてケース等鞄への着脱を容易にすることを第１の目的とし、パーツを少なくして構成し易くすることを第２の目的とし、体裁よく目立つようにして高い識別性を確保することを第３の目的とし、且つ長尺ベルト部の余剰末端がブラブラして邪魔になったり体裁が悪くしたりする事態を回避することを第４の目的とする。
【課題を解決するための手段】
【０００７】
上記第１の目的を達成するために、請求項１に係るスーツケース等鞄用胴締ベルトは、非伸縮材料製の長尺ベルト部の端と伸縮材料製の短尺ベルト部の端とを縫い繋いで一枚構造のベルト本体を構成すると共に上記長尺ベルト部の外端側に、当該長尺ベルト部に沿って移動させる構造の長さ調節具により長さを変更しうる長さ変更可能部分を設け、この長さ変更可能部分の長さが変動する側の変動外端から短尺ベルト部の外端までを締付有効部分とし、この締付有効部分の両端に相互に連結・分離しうる状態にして雌雄一対の連結具を装備して成ることを特徴とする。
【０００８】
したがって、このスーツケース等鞄用胴締ベルトは、例えばスーツケースに使用する場合には、先ず、長さ調節具を操作して締付有効部分の長さを当該スーツケースの胴周りの長さよりも僅かに短い状態になるように調節する（図１及び図２参照）。この調節は、後続の操作を最適且つ容易にするためにも、完了後の出来ばえを良好にするためにも、しっかり行うことが好ましい。
次いで、当該調整後のスーツケース等鞄用胴締ベルトをスーツケースの胴周りに掛け回す（図１及び図２参照）と共に、当該掛け回し状態を保持し乍ら引き伸ばす操作を加えることにより、短尺ベルト部を伸張して雌雄の連結具を連結状態（図３及び図４参照）にして完了すれば良い。
また、スーツケースから外す場合には、単に雌雄の連結具を外し状態にすることで簡単容易にできる。
【０００９】
すなわち、請求項１に係るスーツケース等鞄用胴締ベルトによれば、従前行っていたような、本番締付状態を確保する前の予備締付操作（仮締め操作）を不要にすることができ、且つケース等鞄への着脱を容易にすることができる。
【００１０】
上記第２の目的を達成するために、請求項２に係るスーツケース等鞄用胴締ベルトは、請求項１記載のケース用胴締ベルトに関し、短尺ベルト部の外端は、一方の連結具に縫付により直に連結されたことを特徴とする。
【００１１】
したがって、長尺ベルト部と短尺ベルト部の連結及び連結具に対する短尺ベルト部の止着は、別の連結金具等パーツを使用せずに行うことができ、結果としてパーツの少ない完成品を簡単且つより安価に提供できる。
【００１２】
上記第３の目的を達成するために、請求項３に係るスーツケース等鞄用胴締ベルトは、長尺ベルト部の非伸縮材料と短尺ベルト部の伸縮材料が、同じ目立つ色柄にされ、且つこれら長尺ベルト部、短尺ベルト部の縫い繋ぎ目部分が、柄合せ及び幅合せをした状態に仕上げられたことを特徴とする。
【００１３】
したがって、非伸縮材料製の長尺ベルト部と伸縮材料製の短尺ベルト部とは、所謂境目が目立たない若しくは目立ち難い違和感のない一体物からなる全体一枚構造のベルトとして外観される。
【００１４】
すなわち、請求項３に係るスーツケース等鞄用胴締ベルトによれば、境目が無い目立つ色柄を備えた一体物からなる識別容易な製品、つまり、伸縮する短尺ベルト部の存在をカムフラージュできた目立つ色柄付き製品を容易に提供できる。要するに、請求項３に係るスーツケース等鞄用胴締ベルトは、ユーザーから好まれる、伸縮材料製短尺ベルト部の存在が目立たない高レベル品の提供に有効であると言うことができる。
【００１５】
上記第４の目的を達成するために、請求項４に係るスーツケース等鞄用胴締ベルトは、請求項１、２又は３記載のケース用胴締ベルトに関し、長さ変更可能部分の長さは、一方の連結具に連結環を一体に設けて当該連結環に長尺ベルト部を移動自在に挿通して二つ折りにすると共に当該長尺ベルト部の余剰末端を、同長尺ベルト部の長さ変更可能部分に移動自在に挿通された長さ調節具に止着することにより任意に選択しうるようにされたことを特徴とする。
【００１６】
すなわち、長尺ベルト部の余剰末端は、締付有効部分と共に緊張した状態を呈することになるものであって、ブラブラして邪魔になったり体裁を悪くしたりする事態を惹起することがなく、体裁的にまとまりの良い使い方ができる製品の提供に好適である。
【考案の効果】
【００１７】
本考案に係るスーツケース等鞄用胴締ベルトは、伸縮材料製の短尺ベルト部が程好い伸縮機能を果し、上記従来例が必要としていた本番締付状態を確保する前の予備締付操作（仮締め操作）を不要とすることができる。結果としてケース等鞄への着脱を容易にすることができる。しかも、長尺ベルト部と短尺ベルト部との連結及び連結具に対する短尺ベルト部の止着が、別の連結金具等パーツを使用せずに実施できるものであって、構成の簡略化、製造作業時間の短縮化、低コスト化等の達成ができる。また、上記したようにユーザーから好まれる、伸縮材料製短尺ベルト部の存在が目立たない高レベル品を容易に提供できる。さらに、長尺ベルト部の余剰末端がブラブラして邪魔になったり体裁が悪くしたりする事態を解消することできる。
【考案を実施するための最良の形態】
【００１８】
以下、図１〜図５に示す本考案の実施の態様について説明する。なお、本考案は、この実施の態様に限定されるものではない。
【００１９】
図１は全体を示す斜視図であり、図２はその一部切截側面図であり、図３は締付使用の形態を示す斜視図であり、図４はその一部切截側面図であり、図５はネーム片入れ具を示す斜視図である。
【００２０】
この図１〜図５に示す実施の態様に係るスーツケース等鞄用胴締ベルト１は、非伸縮材料製の長尺ベルト部２の端と伸縮材料製の短尺ベルト部３の端とを縫い繋いで一本の一枚ベルトを形成する状態に連結することにより構成された胴締ベルト本体４と、中棹５の両側に通し孔６、７を備えた横長の日の字形状を呈するプラスチック製の長さ調節具８と、連結環９、１０を備えた雌雄一対からなるプラスチック製の連結具１１、１２と、表裏一対の長方形合成皮革１３、１４の表側に窓１５付きの長方形合成皮革１６を重ねてこれら長方形合成皮革１３、１４、１６の両側縁及び表側長方形合成皮革１３、窓１５付き長方形合成皮革１６の上下縁を相互に縫合することにより構成されたネーム片１７の入れ具１８からなるものである。なお、上記連結具１１、１２は、両側の押込型釦２６，２７を押し込んで連結解除の状態にする汎用のものであるが、他の構造のものを採用することは自由である。
【００２１】
上記非伸縮材料は、伸縮しない比較的太い糸を編ん込んで構成されたものであり、長手方向に沿って長い６色のストライブ模様１９は、異なる色の糸により編成してあるものである。
【００２２】
また、上記伸縮材料は、ゴム芯入りのゴム糸を編ん込んで構成されたものであり、長手方向に沿って長い６色のストライブ模様２０は、異なる色のゴム糸により編成してあるものである。なお、この伸縮材料は、長手方向には伸縮するが横方向には伸縮しない編成にされている。したがって、短尺ベルト３は、伸びた状態になっても幅が狭くなるようなことが無く、結果的に当該短尺ベルト３及び長尺ベルト２は、常に同じ幅を維持して型崩れ等の不体裁を呈することが無いものである。
【００２３】
本考案は、上記ストライブ模様のみに限定する必要はなく、識別機能を有する柄であれば他の模様であってもよい。この場合でも、上記柄合せ、幅合せを行うことが望ましい。
【００２４】
そして、胴締ベルト本体４は、上記非伸縮材料の端部２１と上記伸縮材料の端部２２を折り重ねて縫合することにより連結構成されている。この連結構成は、柄合せされ且つ幅合せされている。
【００２５】
また、雄側の連結具１２は、これが一体に備えている連結環７に上記短尺ベルト部３の外端部２３を通してから折り重ねて縫着することにより当該短尺ベルト部３に止着されている。
【００２６】
さらに、上記長さ調節具８は、その両側の通し孔６，７に上記長尺ベルト部２を挿し通して当該長尺ベルト部２に移動可能に取付けられている。この場合、中棹５は内側になるようにする。
【００２７】
上記雌側の連結具１１は、これが一体に備えている連結環６に上記長尺ベルト部２をその端から挿し通して当該長尺ベルト部２を内側に折り返したのちに当該折り返し部分２１の外端を上記中棹５に縫付により繋ぎ止められている。
【００２８】
そして、上記のように取付けられた長さ調節具８及び雌雄一対の連結具１１、１２は、胴締ベルト本体４に長さ変更可能部分２４及び締付有効部分２５を形成するようにしてある。
【００２９】
また、ネーム片１７の入れ具１８は、その表裏一対の長方形合成皮革１３、１４間に上記の短尺ベルト部３を移動可能に挿通して取付けられ、ネーム片１７は
利用者が任意に記名して用いるようにしてある。
【００３０】
なお、本考案は、上記ネーム片１７の入れ具１８が上記長尺ベルト部２の端と短尺ベルト部３との縫い繋ぎ個所に被さる構成にすることができる。このような構成にした場合には、当該縫い繋ぎ個所がネーム片１７の入れ具１８により隠蔽されるので、上記カムフラージュ及び外傷からの保護を効率よく達成することができて都合が良い。
【図面の簡単な説明】
【００３１】
【図１】全体を示す斜視図である。
【図２】その一部切截側面図である。
【図３】締付使用の形態を示す斜視図である。
【図４】その一部切截側面図である。
【図５】ネーム片入れ具を示す斜視図である。
【符号の説明】
【００３２】
１  実施の態様に係るスーツケース等鞄用胴締ベルト
２  長尺ベルト部
３  短尺ベルト部
４  胴締ベルト本体
５  中棹
６、７  通し孔
８  長さ調節具
９、１０  連結環
１１  雌側連結具
１２  雄側連結具
１３、１４、１６  長方形合成皮革
１５  窓
１７  ネーム片
１８  入れ具
１９、２０  ストライブ模様
２１、２２  端部
２３  外端部
２４  長さ変更可能部分
２５  締付有効部分
２６、２７  押込型釦
２８  スーツケース
【図１】
0003112784.tif 000003
【図２】
0003112784.tif 000004
【図３】
0003112784.tif 000005
【図４】
0003112784.tif 000006
【図５】
0003112784.tif 000007